(57)【要約】【課題】音声・音楽再生の用途に供することができるレコード盤機能付きフライングディスクを提供する。【解決手段】フライングディスク１０は、レコード盤１４と、中心に穴１１が形成された円盤形状のディスク部１２と、ディスク部１２の周縁から下方に湾曲して延伸する周縁部１３とを備え、ディスク部１２の上面にレコード盤１４が取り付けられる。【選択図】図１
0003219576.tif 000002
【実用新案登録請求の範囲】
【請求項１】
レコード盤と、
中心に穴が形成された円盤形状のディスク部と、
前記ディスク部の周縁から下方に湾曲して延伸する周縁部とを備えるフライングディスクであって、
前記ディスク部の上面に前記レコード盤が取り付けられたことを特徴とするフライングディスク。
【請求項２】
前記ディスク部が該ディスク部の下面における前記穴の近傍に少なくとも１つの凸部を備える請求項１に記載のフライングディスク。
【請求項３】
前記レコード盤が前記ディスク部の上面に着脱自在に取り付けられた請求項１又は２に記載のフライングディスク。
【請求項４】
前記レコード盤が塩化ビニール素材からなるフィルム状のレコード盤である請求項１乃至３のいずれか一項に記載のフライングディスク。
【考案の詳細な説明】
【技術分野】
【０００１】
本考案は、円盤形状の飛行玩具、いわゆるフライングディスクに関するものであり、より詳しくは、音声・音楽再生の用途に供することができるレコード盤機能付きフライングディスクに関する。
【０００２】
伝統的な記録媒体として、樹脂などでできた円盤に音声や音楽などの音響情報を刻み込んだレコード盤が存在している。また、昭和３０年代頃からは、通常のレコード盤と比較して非常に薄く成形されたフォノシート（あるいはシートレコード）と呼ばれるレコード盤が広く普及していた。
【０００３】
一方、玩具の分野では、フリスビー（登録商標）の名で親しまれている円盤形状の飛行玩具であるフライングディスクが広く普及し、親しまれている。図９及び図１０に、従来のフライングディスクの一例を示す。なお、図９は従来のフライングディスクを上方から示した平面図であり、図１０は図９に示したフライングディスクのＣ−Ｃ線断面図である。図９及び図１０に示されるように、従来のフライングディスク５０は、円盤形状のディスク部５１と、ディスク部５１の周縁から下方に湾曲して延伸する周縁部５２とから構成されており、周縁部５２は、フライングディスクを投げる際の把持部となると共に、フライングディスク５０に揚力を与える部分となる。具体的には、フライングディスク５０を投げる際、使用者は周縁部５２を手で把持した上で、回転させながら投げる。すると、ディスク部５１の上面と下面とに空気の流れが生じる際、周縁部５２の形状によって、ディスク部５１の上面に沿って流れる空気の速度の方が、ディスク部５１の下面に沿って流れる空気の速度よりも速くなる。そのため、ディスク部５１の上面の気圧がディスク部５１の下面の気圧より低くなり、フライングディスク５０に揚力が発生する。この揚力により、空中へ投げられたフライングディスク５０は、空中を飛行することができる。
【０００４】
しかしながら、従来のフライングディスクは交互に投げ合ったり、受け取り合ったりして遊ぶこと以外に用途がなく、また、レコード盤は、音響情報を刻みこんだ記録媒体として音声・音楽再生の用途に供するしかなかった。
【考案の概要】
【考案が解決しようとする課題】
【０００５】
本考案は、以上のような事情に鑑みてなされたものである。即ち、本考案は、音声・音楽再生の用途に供することができるレコード盤機能付きフライングディスクを提供することを目的とする。
【課題を解決するための手段】
【０００６】
以上の課題を解決するために、本考案に係るフライングディスクは、レコード盤と、中心に穴が形成された円盤形状のディスク部と、ディスク部の周縁から下方に湾曲して延伸する周縁部とを備えるフライングディスクであって、ディスク部の上面にレコード盤が取り付けられたことを特徴とする。
【０００７】
また、ディスク部は、ディスク部の下面における穴の近傍に少なくとも１つの凸部を備えても良い。
【０００８】
また、レコード盤は、ディスク部の上面に着脱自在に取り付けられても良い。
【０００９】
また、レコード盤は、塩化ビニール素材からなるフィルム状のレコード盤であっても良い。
【考案の効果】
【００１０】
本考案によれば、音声・音楽再生の用途に供することができるレコード盤機能付きフライングディスクを提供できる。
【図面の簡単な説明】
【００１１】
【図１】本考案の第一実施形態に係るフライングディスクを示した平面図である。
【図２】本考案の第一実施形態に係るフライングディスクを示した断面図である。
【図３】本考案の第二実施形態に係るフライングディスクを示した平面図である。
【図４】本考案の第二実施形態に係るフライングディスクを示した断面図である。
【図５】本考案の第二実施形態に係るフライングディスクを示した底面図である。
【図６】本考案の第二実施形態に係るフライングディスクをレコードプレーヤーに設置する際に用いるアジャスターを示した斜視図である。
【図７】本考案の第二実施形態に係るフライングディスクを音声・音楽再生の用途に供する状態を示した斜視図である。
【図８】レコード盤を着脱自在に保持する突起部を示した拡大断面図である。
【図９】従来のフライングディスクを示した平面図である。
【図１０】従来のフライングディスクを示した断面図である。
【考案を実施するための形態】
【００１２】
以下、図面を参照しながら本考案に係るフライングディスクを詳細に説明する。なお、同一のものについては、全ての図面を通して共通の参照符号を用いて示している。
【００１３】
まず、図１及び図２を参照しながら、本考案の第一実施形態に係るフライングディスク１０の構成を説明する。
【００１４】
図１は、本考案の第一実施形態に係るフライングディスク１０を上方から示した平面図である。図２は、図１に示したフライングディスク１０のＡ−Ａ線断面図である。図示されるように、フライングディスク１０は、中心に穴１１が形成された円盤形状のディスク部１２と、ディスク部１２の周縁から下方に湾曲して延伸する周縁部１３と、ディスク部１２の上面に取り付けられたレコード盤１４とを備えている。なお、ディスク部１２及び周縁部１３の素材については特に限定されず、ポリカーボネートをはじめとする各種プラスチック素材やカーボン素材など、種々の素材を用いて良い。
【００１５】
穴１１及びディスク部１２について詳述すると、ディスク部１２はフライングディスク１０の本体にあたる部分であり、その上面にレコード盤１４が取り付けられる。ディスク部１２の中心にはレコードプレーヤーが備えるターンテーブルの中心に設けられたスピンドルを通すための穴１１が形成されており、この穴１１は、レコード盤１４の穴に対応する。
【００１６】
周縁部１３は、ディスク部１２の全周に亘ってその周縁から下方に湾曲して形成されており、使用者が周縁部１３を把持してフライングディスク１０を投げた際、フライングディスク１０に揚力を与える部分である。
【００１７】
レコード盤１４は、ディスク部１２の上面に取り付けられる。なお、レコード盤は、その大きさや素材について様々なバリエーションがあるが、本考案はレコード盤１４の大きさや素材について特に限定しない。例えばレコード盤１４として、ソノシート、フォノシートあるいはシートレコードと呼ばれる、塩化ビニール素材からなり薄く曲げられるフィルム状のレコード盤を用いることができる。
【００１８】
以上のとおり説明した本考案の第一実施形態に係るフライングディスク１０によれば、使用者が周縁部１３を把持して回転させながら投げると、レコード盤１４の上面とディスク部１２下面とに空気の流れが生じる際、周縁部１３の形状によって、レコード盤１４の上面に沿って流れる空気の速度の方が、ディスク部１２の下面に沿って流れる空気の速度よりも速くなる。そのため、レコード盤１４の上面の気圧がディスク部１２の下面の気圧より低くなり、フライングディスク１０に揚力が発生する。この揚力によりフライングディスク１０が空中を飛行するため、フライングディスクとして使用することができる。また、投げられたフライングディスク１０を使用者が手で挟み込むようにして受け取る際、ディスク１２の上面に取り付けられたレコード盤１４の表面に存在する溝が、滑り止めの効果を発揮する。
【００１９】
また、本考案の第一実施形態に係るフライングディスク１０は、ディスク部１２の上面にレコード盤１４が取り付けられているため、フライングディスク１０を従来のレコード盤と同様にレコードプレーヤーに設置することで、音声・音楽再生の用途に供することができる。
【００２０】
従って、本考案の第一実施形態によれば、玩具でありながら音響情報を刻みこんだ記録媒体として音声・音楽再生の用途に供することができる、あるいはその反対に、音声・音楽再生の用途に供することができる音響情報を刻みこんだ記録媒体でありながら玩具としての機能を発揮するフライングディスクが実現する。
【００２１】
次に、図３乃至図５を参照しながら、本考案の第二実施形態に係るフライングディスク２０の構成を説明する。また、図６を参照しながら、本考案の第二実施形態に係るフライングディスク２０をレコードプレーヤーに設置する際にアダプターとして用いるアジャスター３０の構成を説明する。
【００２２】
図３は、本考案の第二実施形態に係るフライングディスク２０を上方から示した平面図である。図４は、図３に示したフライングディスク２０のＢ−Ｂ線断面図である。図５は、図３に示したフライングディスク２０を下方から示した底面図である。図示されるように、フライングディスク２０は、中心に穴１１が形成される共に下面における穴１１の近傍に凸部２１を備える円盤形状のディスク部１２と、ディスク部１２の周縁から下方に湾曲して延伸する周縁部１３と、ディスク部１２の上面に取り付けられたレコード盤１４とを備えている。なお、ディスク部１２及び周縁部１３の素材については特に限定されず、ポリカーボネートをはじめとする各種プラスチック素材やカーボン素材など、種々の素材を用いて良い。
【００２３】
穴１１及びディスク部１２について詳述すると、ディスク部１２はフライングディスク２０の本体にあたる部分であり、その上面にレコード盤１４が取り付けられる。ディスク部１２の中心には、レコードプレーヤーのスピンドルに代えてアジャスター３０のスピンドル部３２を通すための穴１１が形成されており、この穴１１は、レコード盤１４の穴に対応する。
【００２４】
周縁部１３は、ディスク部１２の全周に亘ってその周縁から下方に湾曲して形成されており、使用者が周縁部１３を把持してフライングディスク２０を投げた際、フライングディスク２０に揚力を与える部分である。
【００２５】
レコード盤１４は、ディスク部１２の上面に取り付けられる。なお、レコード盤は、その大きさや素材について様々なバリエーションがあるが、本考案はレコード盤１４の大きさや素材について特に限定しない。例えばレコード盤１４として、ソノシート、フォノシートあるいはシートレコードと呼ばれる、塩化ビニール素材からなり薄く曲げられるフィルム状のレコード盤を用いることができる。
【００２６】
凸部２１は、フライングディスク２０をレコードプレーヤーに設置する際、レコードプレーヤーが備えるターンテーブルに周縁部１３が干渉することを防ぐためのアジャスター３０と、フライングディスク２０とを固定するために用いる突起部である。本実施形態では穴１１の近傍に等間隔に合計４つの凸部２１が設けられているが、凸部２１は少なくとも１つ備えていれば良く、その個数は４つに限定されるものではない。また、本実施形態では両端が丸い長方形状に凸部２１が形成されているが、凸部２１はアジャスター３０に形成された溝部３３と嵌合する形状であれば良く、半円形状や波型形状など任意の形状に形成して良い。
【００２７】
図６は、本考案の第二実施形態に係るフライングディスク２０をレコードプレーヤーに設置する際に用いるアジャスター３０を示した斜視図である。図示されるように、アジャスター３０は、円筒形状の本体部３１と、本体部３１の上面中心に設けられるスピンドル部３２とを備えている。なお、アジャスター３０の素材については特に限定されず、各種プラスチック素材や金属素材など、種々の素材を用いて良い。
【００２８】
本体部３１には、凸部２１が嵌合する溝部３３が形成されている。また、本体部３１の底面中心には、レコードプレーヤーが備えるターンテーブルの中心に設けられたスピンドルを挿入するスピンドル挿入部３４が形成されている。また、アジャスター３０を介してフライングディスク２０をレコードプレーヤーに設置した際にレコードプレーヤーが備えるターンテーブルに周縁部１３が干渉しないよう、本体部３１は、その高さＨ２が図４に示される周縁部１３の高さＨ１よりも大きい。
【００２９】
スピンドル部３２は、レコードプレーヤーが備えるターンテーブルの中心に設けられたスピンドルの代わりに穴１１に通される部分であり、スピンドル部３２を穴１１に通すことにより、アジャスター３０の回転軸とフライングディスク２０の回転軸が一致する。
【００３０】
以上のとおり説明した本考案の第二実施形態に係るフライングディスク２０について、図７を参照しながら、フライングディスク２０を音声・音楽再生の用途に供する際の使用状態について説明する。
【００３１】
図７は、フライングディスク２０をレコードプレーヤー４０に設置した状態を示した斜視図である。図示されるように、フライングディスク２０は、アジャスター３０を介して、レコードプレーヤー４０が備えるターンテーブル４１に固定されている。ここで、ターンテーブル４１の中心に設けられたスピンドル（図示せず）は、アジャスター３０のスピンドル挿入部３４に挿入されており、フライングディスク２０の凸部２１は、アジャスター３０の溝部３３に嵌合している。
【００３２】
以上のとおり説明した本考案の第二実施形態に係るフライングディスク２０によれば、使用者が周縁部１３を把持して回転させながら投げると、レコード盤１４の上面とディスク部１２下面とに空気の流れが生じる際、周縁部１３の形状によって、レコード盤１４の上面に沿って流れる空気の速度の方が、ディスク部１２の下面に沿って流れる空気の速度よりも速くなる。そのため、レコード盤１４の上面の気圧がディスク部１２の下面の気圧より低くなり、フライングディスク２０に揚力が発生する。この揚力によりフライングディスク２０が空中を飛行するため、フライングディスクとして使用することができる。また、投げられたフライングディスク２０を使用者が手で挟み込むようにして受け取る際、ディスク１２の上面に取り付けられたレコード盤１４の表面に存在する溝が、滑り止めの効果を発揮する。
【００３３】
また、本考案の第二実施形態に係るフライングディスク２０は、ディスク部１２の上面にレコード盤１４が取り付けられているため、アジャスター３０を介してレコードプレーヤーに設置することで、音声・音楽再生の用途に供する際、レコードプレーヤーが備えるターンテーブルに周縁部１３が干渉することがない。
【００３４】
従って、本考案の第二実施形態によれば、玩具でありながら音響情報を刻みこんだ記録媒体として音声・音楽再生の用途に供することができる、あるいはその反対に、音声・音楽再生の用途に供することができる音響情報を刻みこんだ記録媒体でありながら玩具としての機能を発揮するフライングディスクが実現する。
【００３５】
以上、本考案の好適な実施形態について説明したが、本考案は上記の実施形態に限定されるものではなく、本考案の趣旨を逸脱しない範囲において種々の改変が可能であることは言うまでもない。
【００３６】
例えば、レコード盤１４は、ディスク部１２の上面に着脱自在に取り付けられても良い。一例として、図８に示されるように、ディスク部１２の周縁の一部または全部に弾性を有する突起状あるいはツメ状のレコード盤保持部４５を設けることができる。これにより、レコード盤１４をディスク部１２の上面に取り付ける際は、レコード盤１４を上から押しつけることでレコード盤保持部４５が変形し、レコード盤１４がディスク部１２に接するとレコード盤保持部４５がその弾性によって元の形状に戻ってレコード盤１４を保持する。また、レコード盤１４をディスク部１２の上面から取り外す際は、フライングディスク１０（２０）を下方にしならせることでレコード盤保持部４５によるレコード盤１４の保持が解除される。
【符号の説明】
【００３７】
１０    フライングディスク
１１    穴
１２    ディスク部
１３    周縁部
１４    レコード盤
２０    フライングディスク
２１    凸部
３０    アジャスター
３１    本体部
３２    スピンドル部
３３    溝部
３４    スピンドル挿入部
４０    レコードプレーヤー
４１    ターンテーブル
４５    レコード盤保持部
５０    フライングディスク
５１    ディスク部
５２    周縁部
【図１】
0003219576.tif 000003
【図２】
0003219576.tif 000004
【図３】
0003219576.tif 000005
【図４】
0003219576.tif 000006
【図５】
0003219576.tif 000007
【図６】
0003219576.tif 000008
【図７】
0003219576.tif 000009
【図８】
0003219576.tif 000010
【図９】
0003219576.tif 000011
【図１０】
0003219576.tif 000012